(57)【特許請求の範囲】
【請求項１】
少なくとも2つの無線周波数モジュールとプロセッサとを備える、ワイヤレスアクセスポイントであって、
前記少なくとも2つの無線周波数モジュールは第1の無線周波数モジュールと第2の無線周波数モジュールとを備え、前記第1の無線周波数モジュールの周波数帯域は前記第2の無線周波数モジュールの周波数帯域と同じであり、
前記第1の無線周波数モジュールは第1のチャネル上で動作し、
前記第2の無線周波数モジュールは第2のチャネル上で動作し、
前記第1の無線周波数モジュールの第1の送信電力上限は前記第2の無線周波数モジュールの第2の送信電力上限よりも大きく、
前記プロセッサは、その信号強度がしきい値よりも大きく、前記第1の無線周波数モジュールを使用することによって前記ワイヤレスアクセスポイントに関連付けられた少なくとも1つの端末からのものである端末が、スケジュールされた後に、前記第2の無線周波数モジュールを使用することによって前記ワイヤレスアクセスポイントに関連付けられるように、その信号強度が前記しきい値よりも大きい前記端末をスケジュールするように構成された、
ワイヤレスアクセスポイント。
【請求項２】
前記プロセッサは、
前記第2の無線周波数モジュールの上げられたクリアチャネルアセスメント（CCA）しきい値が、前記第2の無線周波数モジュールの設計された干渉雑音よりも大きくなるように、前記第2の無線周波数モジュールのCCAしきい値を上げる
ようにさらに構成され、
前記第2の無線周波数モジュールの前記設計された干渉雑音は、前記第1の無線周波数モジュールが前記第1の送信電力上限を使用することによって信号を送信するときの、前記第2の無線周波数モジュールの信号受信との干渉の電力値である、
請求項1に記載のワイヤレスアクセスポイント。
【請求項３】
前記しきい値は、前記第2の無線周波数モジュールの前記上げられたCCAしきい値と、前記第2の無線周波数モジュールに対応する信号対雑音比の積である、請求項2に記載のワイヤレスアクセスポイント。
【請求項４】
前記しきい値は、前記第2の無線周波数モジュールの設計された干渉雑音と、前記第2の無線周波数モジュールに対応する信号対雑音比との積であり、
前記第2の無線周波数モジュールの前記設計された干渉雑音は、前記第1の無線周波数モジュールが前記第1の送信電力上限を使用することによって信号を送信するときの、前記第2の無線周波数モジュールの信号受信との干渉の電力値である、
請求項1に記載のワイヤレスアクセスポイント。
【請求項５】
前記第1の無線周波数モジュールと前記第2の無線周波数モジュールとの間の絶縁は、前記第1の無線周波数モジュールと前記第2の無線周波数モジュールとの間にあり、前記第1の無線周波数モジュールと前記第2の無線周波数モジュールとの送信電力上限が両方とも前記第1の送信電力上限であるときに必要とされる絶縁よりも小さい、請求項1から4のいずれか一項に記載のワイヤレスアクセスポイント。
【請求項６】
ワイヤレスアクセスポイントによって、前記ワイヤレスアクセスポイントの第1の無線周波数モジュールを使用することによって前記ワイヤレスアクセスポイントに関連付けられた少なくとも1つの端末のうちの各端末の信号強度を検出するステップと、
前記ワイヤレスアクセスポイントによって、その信号強度がしきい値よりも大きく、前記少なくとも1つの端末からのものである端末が、スケジュールされた後に、前記ワイヤレスアクセスポイントの第2の無線周波数モジュールを使用することによって前記ワイヤレスアクセスポイントに関連付けられるように、その信号強度が前記しきい値よりも大きい前記端末をスケジュールするステップと
を含む、信号干渉低減方法であって、
前記第1の無線周波数モジュールの周波数帯域は前記第2の無線周波数モジュールの周波数帯域と同じであり、前記第1の無線周波数モジュールは第1のチャネル上で動作し、前記第2の無線周波数モジュールは第2のチャネル上で動作し、前記第1の無線周波数モジュールの第1の送信電力上限は前記第2の無線周波数モジュールの第2の送信電力上限よりも大きい、
信号干渉低減方法。
【請求項７】
前記しきい値は、前記第2の無線周波数モジュールの設計された干渉雑音と、前記第2の無線周波数モジュールに対応する信号対雑音比との積であり、
前記第2の無線周波数モジュールの前記設計された干渉雑音は、前記第1の無線周波数モジュールが前記第1の送信電力上限を使用することによって信号を送信するときの、前記第2の無線周波数モジュールの信号受信との干渉の電力値である、
請求項6に記載の方法。
【請求項８】
前記方法は、
前記第2の無線周波数モジュールの上げられたクリアチャネルアセスメント（CCA）しきい値が、前記第2の無線周波数モジュールの設計された干渉雑音よりも大きくなるように、前記ワイヤレスアクセスポイントによって、前記第2の無線周波数モジュールのCCAしきい値を上げるステップ
をさらに含み、
前記第2の無線周波数モジュールの前記設計された干渉雑音は、前記第1の無線周波数モジュールが前記第1の送信電力上限を使用することによって信号を送信するときの、前記第2の無線周波数モジュールの信号受信との干渉の電力値である、
請求項6に記載の方法。
【請求項９】
前記しきい値は、前記第2の無線周波数モジュールの前記上げられたCCAしきい値と、前記第2の無線周波数モジュールに対応する信号対雑音比の積である、請求項8に記載の方法。
【請求項１０】
前記第1の無線周波数モジュールと前記第2の無線周波数モジュールとの間の絶縁は、前記第1の無線周波数モジュールと前記第2の無線周波数モジュールとの間にあり、前記第1の無線周波数モジュールと前記第2の無線周波数モジュールとの送信電力上限が両方とも前記第1の送信電力上限であるときに必要とされる絶縁よりも小さい、請求項6から9のいずれか一項に記載の方法。
【発明の詳細な説明】
【技術分野】
【０００１】
本発明は、通信技術の分野に関し、詳細には、同じ周波数帯域の2つの無線周波数モジュールをもつワイヤレスアクセスポイントおよび信号干渉低減方法に関する。
【背景技術】
【０００２】
ワイヤレスローカルエリアネットワーク（英語：wireless local area network、WLAN）製品において、1つのアクセスポイント（英語：access point、AP）中に複数の無線周波数モジュール（英語：radio frequency module、RFモジュール）を組み込むことにより、ユーザが単一の無線周波数リソースを取得するコストが低減され得る。しかしながら、1つのAP中に複数の無線周波数モジュールを組み込むと、2つの無線周波数モジュール間の距離が短いことにより、2つの無線周波数モジュールのそれぞれの周波数帯域の間に干渉が生じる可能性がある。
【０００３】
1つのAP中に2つの無線周波数モジュールを組み込む解決策において、2つの無線周波数モジュールの周波数帯域は異なり、それらは、それぞれ概して2．4ギガヘルツ（英語：gigahertz、GHz）および5GHzである。2つの無線周波数モジュールの周波数帯域間の間隔は比較的長く、2つの無線周波数モジュール間の信号干渉は比較的弱い。しかしながら、1つのAP中に組み込まれた2つの無線周波数モジュールが、同じ周波数帯域の2つの無線周波数モジュールであるとき、2つの無線周波数モジュールのチャネルの中心周波数間の間隔が比較的短いので、2つのチャネル間の隣接チャネル減衰（英語：adjacent channel attenuation）は比較的小さく、その結果、2つの無線周波数モジュール間の信号干渉は比較的強い。この場合、2つの無線周波数モジュール間の信号干渉が低減される必要がある場合、一方の無線周波数モジュールによって送信される信号の電力は、その信号が他方の無線周波数モジュールに達するときに低減される必要がある。無線周波数モジュールの送信電力が低減された場合、APのカバレージエリアは比較的小さい。2つの無線周波数モジュール間の間隔が増加された場合、APのボリュームは過大に大きい。2つの無線周波数モジュール間の信号干渉を防ぐためにそれらの2つの間に特殊な物理デバイスが配設された場合、ハードウェア設計要件は比較的高く、APの構造は複雑である。
【発明の概要】
【０００４】
本出願は、同じ周波数帯域の2つの無線周波数モジュールをもつワイヤレスアクセスポイントと、信号干渉低減方法とを提供し、これらは、同じ周波数帯域の2つの無線周波数モジュール間の干渉を低減し、1つのAP中に同じ周波数帯域の2つの無線周波数モジュールを組み込むためのハードウェア設計の複雑さを低減することができる。
【課題を解決するための手段】
【０００５】
第1の態様は、少なくとも2つの無線周波数モジュールとプロセッサとを含み得る、ワイヤレスアクセスポイントを提供し、少なくとも2つの無線周波数モジュールは第1の無線周波数モジュールと第2の無線周波数モジュールとを含み、第1の無線周波数モジュールの周波数帯域は第2の無線周波数モジュールの周波数帯域と同じであり、
第1の無線周波数モジュールは第1のチャネル上で動作し、
第2の無線周波数モジュールは第2のチャネル上で動作し、
第1の無線周波数モジュールの第1の送信電力上限は第2の無線周波数モジュールの第2の送信電力上限よりも大きく、
プロセッサは、その信号強度がしきい値よりも大きく、第1の無線周波数モジュールを使用することによってワイヤレスアクセスポイントに関連付けられた少なくとも1つの端末からのものである端末が、スケジュールされた後に、第2の無線周波数モジュールを使用することによってワイヤレスアクセスポイントに関連付けられるように、その信号強度がしきい値よりも大きい端末をスケジュールするように構成される。
【０００６】
本出願では、同じ周波数帯域の2つの無線周波数モジュールが単一のAP中に組み込まれ、第1の無線周波数モジュールは、第1のチャネル上で動作し、第1の送信電力上限を使用することによって信号を送信し、第2の無線周波数モジュールは、第2のチャネル上で動作し、第1の送信電力上限よりも小さい第2の送信電力上限を使用することによって信号を送信し、それにより、第2の無線周波数モジュールの信号送信による、第1の無線周波数モジュールの信号の受信および送信との信号干渉が低減され得る。さらに、スケジュールされた後に、大きい信号強度をもつ端末は、第2の無線周波数モジュールを使用することによってAPに関連付けられる。第1の無線周波数モジュールの信号送信による第2の無線周波数モジュールとの干渉が強いが、第2の無線周波数モジュールと通信している端末は大きい信号強度を有し、干渉されない。本出願によれば、同じ周波数帯域の2つの無線周波数モジュールをもつAPのカバレージエリアが保証され、APのためのハードウェア設計の複雑さが低減される。
【０００７】
第1の態様に関して、第1の可能な実装様式では、しきい値は、第2の無線周波数モジュールの設計された干渉雑音と、第2の無線周波数モジュールに対応する信号対雑音比との積であり、
第2の無線周波数モジュールの設計された干渉雑音は、第1の無線周波数モジュールが第1の送信電力上限を使用することによって信号を送信するときの、第2の無線周波数モジュールの信号受信との干渉の電力値である。
【０００８】
本出願では、第2の無線周波数モジュールが、端末によって送られた信号を適切に受信することができるように、第2の無線周波数モジュールを使用することによってAPに関連付けられた端末の信号強度と、第1の無線周波数モジュールの信号送信による第2の無線周波数モジュールとの干渉との間の比が信号対雑音比よりも大きいという要件を満たすために、端末によってスケジュールされる端末信号強度しきい値は、第2の無線周波数モジュールの設計された干渉雑音と、第2の無線周波数モジュールに対応する信号対雑音比との積になるように設定される。
【０００９】
第1の態様に関して、第2の可能な実装様式では、プロセッサは、
第2の無線周波数モジュールの上げられたクリアチャネルアセスメントCCAしきい値が、第2の無線周波数モジュールの設計された干渉雑音よりも大きくなるように、第2の無線周波数モジュールのCCAしきい値を上げるようにさらに構成され、
第2の無線周波数モジュールの設計された干渉雑音は、第1の無線周波数モジュールが第1の送信電力上限を使用することによって信号を送信するときの、第2の無線周波数モジュールの信号受信との干渉の電力値である。
【００１０】
本出願では、第2の無線周波数モジュールのCCAしきい値は、第1の無線周波数モジュールの信号送信による第2の無線周波数モジュールとの干渉が第2の無線周波数モジュールの信号送信に影響を及ぼさないように上げられる。
【００１１】
第1の態様の第2の可能な実装様式に関して、第3の可能な実装様式では、しきい値は、第2の無線周波数モジュールの上げられたCCAしきい値と、第2の無線周波数モジュールに対応する信号対雑音比の積である。
【００１２】
本出願では、第2の無線周波数モジュールのCCAしきい値が上げられた後に、第2のチャネルに接続された端末によって送られる信号が依然として適切に受信され得ることを保証するために、端末によってスケジュールされる端末信号強度しきい値は、第2の無線周波数モジュールの上げられたCCAしきい値と、第2の無線周波数モジュールに対応する信号対雑音比との積になるように設定される。
【００１３】
第1の態様から第1の態様の第3の可能な実装様式のいずれか1つに関して、第1の態様の第4の可能な実装様式では、第1の無線周波数モジュールと第2の無線周波数モジュールとの間の絶縁は、第1の無線周波数モジュールと第2の無線周波数モジュールとの間にあり、第1の無線周波数モジュールと第2の無線周波数モジュールとの送信電力上限が両方とも第1の送信電力上限であるときに必要とされる絶縁よりも小さい。
【００１４】
第1の態様から第1の態様の第4の可能な実装様式のいずれか1つに関して、第1の態様の第5の可能な実装様式では、第1の無線周波数モジュールの第1の利用可能なチャネルセットと、第2の無線周波数モジュールの第2の利用可能なチャネルセットとの交差は空集合であり、第1のチャネルおよび第2のチャネルは、第1の利用可能なチャネルセットおよび第2の利用可能なチャネルセット中の2つの近位チャネルである。
【００１５】
第2の態様は、
ワイヤレスアクセスポイントによって、ワイヤレスアクセスポイントの第1の無線周波数モジュールを使用することによってワイヤレスアクセスポイントに関連付けられた少なくとも1つの端末のうちの各端末の信号強度を検出するステップと、
ワイヤレスアクセスポイントによって、その信号強度がしきい値よりも大きく、少なくとも1つの端末からのものである端末が、スケジュールされた後に、ワイヤレスアクセスポイントの第2の無線周波数モジュールを使用することによってワイヤレスアクセスポイントに関連付けられるように、その信号強度がしきい値よりも大きい端末をスケジュールするステップと
を含み得る、信号干渉低減方法を提供し、
第1の無線周波数モジュールの周波数帯域は第2の無線周波数モジュールの周波数帯域と同じであり、第1の無線周波数モジュールは第1のチャネル上で動作し、第2の無線周波数モジュールは第2のチャネル上で動作し、
第1の無線周波数モジュールの第1の送信電力上限は第2の無線周波数モジュールの第2の送信電力上限よりも大きい。
【００１６】
第2の態様に関して、第1の可能な実装様式では、しきい値は、第2の無線周波数モジュールの設計された干渉雑音と、第2の無線周波数モジュールに対応する信号対雑音比との積であり、
第2の無線周波数モジュールの設計された干渉雑音は、第1の無線周波数モジュールが第1の送信電力上限を使用することによって信号を送信するときの、第2の無線周波数モジュールの信号受信との干渉の電力値である。
【００１７】
第2の態様に関して、第2の可能な実装様式では、本方法は、
第2の無線周波数モジュールの上げられたクリアチャネルアセスメントCCAしきい値が、第2の無線周波数モジュールの設計された干渉雑音よりも大きくなるように、ワイヤレスアクセスポイントによって、第2の無線周波数モジュールのCCAしきい値を上げるステップ
をさらに含み、
第2の無線周波数モジュールの設計された干渉雑音は、第1の無線周波数モジュールが第1の送信電力上限を使用することによって信号を送信するときの、第2の無線周波数モジュールの信号受信との干渉の電力値である。
【００１８】
第2の態様の第2の可能な実装様式に関して、第3の可能な実装様式では、しきい値は、第2の無線周波数モジュールの上げられたCCAしきい値と、第2の無線周波数モジュールに対応する信号対雑音比の積である。
【００１９】
第2の態様から第2の態様の第3の可能な実装様式のいずれか1つに関して、第2の態様の第4の可能な実装様式では、第1の無線周波数モジュールと第2の無線周波数モジュールとの間の絶縁は、第1の無線周波数モジュールと第2の無線周波数モジュールとの間にあり、第1の無線周波数モジュールと第2の無線周波数モジュールとの送信電力上限が両方とも第1の送信電力上限であるときに必要とされる絶縁よりも小さい。
【００２０】
本発明の実施形態における技術的解決策についてより明らかに説明するために、以下で、本実施形態について説明するために必要とされる添付の図面について手短に説明する。明らかに、以下の説明における添付の図面は本発明のいくつかの実施形態を示すものにすぎず、当業者なら、創造的な取り組みなしにこれらの添付の図面から他の図面をさらに導出するであろう。
【図面の簡単な説明】
【００２１】
【図１】本発明の一実施形態によるアクセスポイントの概略構造図である。
【図２】異なる送信電力上限をもつ2つの無線周波数モジュールの信号カバレージエリアの概略図である。
【図３】本発明の一実施形態による信号干渉低減方法の概略フローチャートである。
【発明を実施するための形態】
【００２２】
受信機感度しきい値は、無線周波数モジュールによって復調され得る受信信号の強度しきい値である（例えば、最低復調しきい値は−92dBm（英語：decibel−milliwatt、dBm）として指定され得る）。無線周波数モジュールは、無線周波数モジュールによって受信された信号の強度がしきい値よりも大きいときのみ信号を復調する。無線周波数モジュールによって受信された信号の強度がしきい値よりも小さい場合、無線周波数モジュールは信号を復調しない。
【００２３】
（例えば、プリアンブル（英語：preamble）信号のCCAしきい値であり得る）クリアチャネルアセスメント（英語：clear channel assessment、CCA）しきい値は、無線周波数モジュールによってビジーであると見なされるチャネルの信号の強度しきい値である。ワイヤレス媒体への複数のデバイスのアクセスを協調させるためにWLANにおいてキャリア検知多重アクセス／衝突回避（英語：carrier sense multiple access with collision avoidance、CSMA／CA）機構が使用される場合、無線周波数モジュールは、信号を送る前にチャネル上で信号検出を実施する。強度がCCAしきい値よりも大きい信号を検出した場合、無線周波数モジュールは、チャネルがビジーであると見なす。チャネルがビジーである場合、無線周波数モジュールはバックオフ手順（英語：backoff procedure）を実施する。CCAしきい値は、例えば、−83dBmであり得る。
【００２４】
2つの無線周波数モジュールにおいて、絶縁は、一方の無線周波数モジュールによって送信される信号の電力と、第1の無線周波数モジュールによって送信され、同じチャネル上で他方の無線周波数モジュールによって受信される信号の電力との間の比である。絶縁は、単位としてデシベル（英語：decibel、dB）を概して使用する。例えば、第1の無線周波数モジュールはチャネル149上で信号を送信する。第1の無線周波数モジュールによって送信される信号の電力はP1である。第1の無線周波数モジュールによって送信された信号は第2の無線周波数モジュールに送信される。第1の無線周波数モジュールと第2の無線周波数モジュールとの間の距離および伝搬媒体の影響により、第1の無線周波数モジュールによって送信された信号が第2の無線周波数モジュールに送信された後に、第2の無線周波数モジュールがチャネル149上で上記の信号を受信する電力はP2である。P1とP2との間の比は信号減衰の度合い、すなわち、第1の無線周波数モジュールと第2の無線周波数モジュールとの間の絶縁である。第1の無線周波数モジュールによって送信された信号が第2の無線周波数モジュールの信号受信に干渉するのを防ぐために、第1の無線周波数モジュールと第2の無線周波数モジュールとの間の絶縁は、第1の無線周波数モジュールによって送信された信号が第2の無線周波数モジュールに送信されたとき、隣接チャネル上で減衰された後の信号強度が第2の無線周波数モジュールの受信機感度しきい値よりも小さくなるように、特定のしきい値よりも大きい必要がある。
【００２５】
図1を参照されたい。図1は、本発明の一実施形態によるアクセスポイントの概略構造図である。本発明のこの実施形態で説明するAPは、少なくとも2つの無線周波数モジュールと、プロセッサ30とを含む。上記の少なくとも2つの無線周波数モジュールは第1の無線周波数モジュール10と第2の無線周波数モジュール20とを含み、すなわち、第1の無線周波数モジュール10と第2の無線周波数モジュール20は単一のAP中に組み込まれる。
【００２６】
第1の無線周波数モジュール10と第2の無線周波数モジュール20との周波数帯域は同じである。第1の無線周波数モジュール10は第1のチャネル上で信号を送信する。第2の無線周波数モジュール20は第2のチャネル上で信号を送信する。第1の無線周波数モジュール10の第1の送信電力上限は、第2の無線周波数モジュール20の第2の送信電力上限よりも大きい。無線周波数モジュールの送信電力上限は、無線周波数モジュールによって使用され得る最大送信電力である。第1の無線周波数モジュール10の第1の送信電力上限は、全電力で動作している第1の無線周波数モジュール10の送信電力値であり得る。第1の無線周波数モジュール10の第1の送信電力上限は、APの信号カバレージエリアが保証され得るように大きい。第2の無線周波数モジュール20は、全電力で動作している第1の無線周波数モジュール10の第1の送信電力上限よりも送信電力値が小さい無線周波数モジュールであり得る。第2の無線周波数モジュール20はまた、第1の無線周波数モジュール10と同じである物理デバイスであり得、第2の無線周波数モジュール20の最大送信電力は、全電力で動作している第2の無線周波数モジュール20の送信電力値よりも小さくなるように設定される。
【００２７】
第1の無線周波数モジュール10によって使用され得る動作チャネルのセットは第1のチャネルセットであり、第2の無線周波数モジュール20によって使用され得る動作チャネルのセットは第2のチャネルセットである。第1のチャネルセットは第2のチャネルセットと重複せず、すなわち、第1のチャネルセットと第2のチャネルセットとの交差は空集合である。APの無線周波数モジュールの（送信電力上限を含む）動作パラメータと、APの物理的構造の設計とのために、APは、第1のチャネルセットおよび第2のチャネルセット中で周波数が近位である2つの動作チャネルの基準で設計される。周波数が近位である2つの動作チャネル間の隣接チャネル減衰は最小であり、この場合、2つの無線周波数モジュール間の信号干渉は最大である。
【００２８】
例えば、単一のAP中に2つの5GHz無線周波数モジュールが組み込まれたとき、第2の無線周波数モジュール20によって選択され得るチャネルは、チャネル36と、チャネル40と、チャネル44と、チャネル48とを含み、第1の無線周波数モジュール10によって選択され得るチャネルは、チャネル149と、チャネル153と、チャネル157と、チャネル161と、チャネル165とを含む。2つの無線周波数モジュールによって選択され得る上記のチャネルの間で、チャネル48の中心周波数は、チャネル149の中心周波数から505MHzだけ分離される。この場合、上記の2つのチャネル間の隣接チャネル減衰は最小である。2つの無線周波数モジュール間の信号干渉が要件を満たすことを保証するために、最も高い設計基準が使用される必要がある。このチャネル選択ステータスは、2つの無線周波数モジュール間の絶縁のために最も高い要件を有する。第1の無線周波数モジュールと第2の無線周波数モジュールとが他のチャネルを選択したとき、2つの無線周波数モジュールによって選択されたチャネルの中心周波数間の間隔は505MHzよりも大きい。無線周波数モジュールの動作パラメータは変化しない（APの物理的構造は選択されるチャネルの変化とともに変化しない）が、2つの無線周波数モジュール間の信号干渉は、無線周波数モジュール間の信号干渉のための要件をも満たす。したがって、上記の2つの無線周波数モジュールが異なるチャネル組合せ（例えば、チャネル48およびチャネル149、またはチャネル36およびチャネル149）を選択する異なるシナリオにおいてAPの設計が無線周波数モジュール間の所要の絶縁を満たすことを保証するために、APは、チャネル48とチャネル149とのチャネル組合せが選択された例を使用することによって設計される必要がある。
【００２９】
同様に、無線周波数モジュールが最大送信電力を使用せずに信号を送信した場合、無線周波数モジュールの信号による他の無線周波数モジュールとの干渉は、最大送信電力を使用することによって信号が送信されたときに生成される干渉よりも小さい。2つの無線周波数モジュールが両方とも最大送信電力を使用することによって信号を送信する場合をAPの設計が満たすことを保証するために、APは、2つの無線周波数モジュールが両方ともそれらのそれぞれの最大送信電力を使用することによって信号を送信する例を使用することによって設計される必要がある。
【００３０】
第1の無線周波数モジュールと第2の無線周波数モジュールは同じ最大送信電力を使用することによって信号を送信し、第1の無線周波数モジュールと第2の無線周波数モジュールとの信号カバレージエリアは同じである、すなわち、第1のカバレージエリアは第2のカバレージエリアと同じであると仮定する。この仮定では、APのカバレージエリアが保証される。しかしながら、同じ最大送信電力が使用されるので、第1の無線周波数モジュールによって送信される信号は第2の無線周波数モジュールに大いに干渉し、第2の無線周波数モジュールによって送信される信号は第1の無線周波数モジュールに大いに干渉する。したがって、本発明のこの実施形態では、第1の無線周波数モジュールは、この周波数帯域上で無線周波数モジュールによって送信される信号の最大カバレージエリアを保証し得る、20dBmの最大送信電力を使用することによって信号を送信する。第2の無線周波数モジュールの送信電力は、第2の無線周波数モジュールのカバレージエリアを低減するという犠牲を払って第1の無線周波数モジュールとの干渉を低減するために低減される。
【００３１】
例えば、上記の第1の無線周波数モジュール10は、チャネル149上で全電力で信号を送信する。上記の全電力は20dBmであり、第1の無線周波数モジュール10のカバレージエリアは第1のカバレージエリアであり得ると仮定する。図2を参照されたい。図2は、異なる送信電力をもつ2つの無線周波数モジュールの信号カバレージエリアの概略図である。第1の無線周波数モジュールの第1のカバレージエリアは、図2では同心円の外側リングによって示され得る。第2の無線周波数モジュール20は、最大送信電力を使用することによってチャネル48上で信号を送信する。上記の最大送信電力は10dBmであり、第2の無線周波数モジュールのカバレージエリアは、図2では同心円の内側リングによって示される第2のカバレージエリアであり得ると仮定する。
【００３２】
第2の無線周波数モジュール20のチャネル149と第1の無線周波数モジュール10のチャネル48との間の隣接チャネル拒否比（英語：adjacent channel rejection ratio、ACRR）は42dBである。したがって、第1の無線周波数モジュール10と第2の無線周波数モジュール20との間の絶縁がx dBである場合、第1の無線周波数モジュール10によって受信される第2の無線周波数モジュール20の信号の信号強度（Q1）は、Q1＝10dBm／x dB／42dBである。第1の無線周波数モジュール10の受信機感度しきい値は−92dBmである。したがって、第2の無線周波数モジュール20によって送信された信号が第1の無線周波数モジュール10の信号受信に干渉しないことを保証するために、Q1≦−92dBmであることが必要とされる。この場合、必要とされる絶縁x≧60dBであることが知られ得る。すなわち、上記のシナリオでは、第1の無線周波数モジュール10と第2の無線周波数モジュール20との間の絶縁が60dBに達するとき、第2の無線周波数モジュール20によって送信された信号は第1の無線周波数モジュール10の信号受信に干渉しないことが保証され得る。さらに、第1の無線周波数モジュール10と第2の無線周波数モジュール20との間の絶縁が60dBに達するとき、Q1≦−92dBmである。−92dBm＜−83dBmであるので、Q1≦−83dBmであり、すなわち、Q1は第1の無線周波数モジュール10のCCAしきい値よりも小さい。第2の無線周波数モジュール20によって送信された信号は第1の無線周波数モジュール10の信号送信に干渉しない。すなわち、第1の無線周波数モジュール10と第2の無線周波数モジュール20との間の絶縁が60dBになるように設計されたとき、第2の無線周波数モジュール20によって送信された信号は第1の無線周波数モジュール10の信号受信に干渉しないことが保証され得る。したがって、APが設計されるとき、設計では、第1の無線周波数モジュール10と第2の無線周波数モジュール20との間の絶縁が60dBである例が使用される。
【００３３】
しかしながら、第1の無線周波数モジュール10と第2の無線周波数モジュール20との間の絶縁が60dBであるとき、第2の無線周波数モジュール20によって受信される第1の無線周波数モジュール10の信号の信号強度（Q2）は、Q2＝20dBm／60dB／42dBである。この場合、Q2＝−82dBmであることが知られ得る。第2の無線周波数モジュール20の受信機感度しきい値は−92dBmである。したがって、この場合はQ2＞−92dBmであり、すなわち、第2の無線周波数モジュール20によって受信される第1の無線周波数モジュール10の信号の強度は、第2の無線周波数モジュール20の受信機感度しきい値よりも大きい。この場合、第1の無線周波数モジュール10は第2の無線周波数モジュール20の雑音源になり、上記の−82dBmは、第2の無線周波数モジュール20の設計された干渉雑音として定義され得る。すなわち、第2の無線周波数モジュール20の上記の設計された干渉雑音は、第2の無線周波数モジュール20の信号受信とともに第1の送信電力上限を使用することによって信号を送信している第1の無線周波数モジュールの干渉の電力値として定義され得る。この場合、第2の無線周波数モジュール20が、チャネル48に接続された端末によって送られた信号を適切に受信することができることを保証するために、端末の信号強度は、第2の無線周波数モジュール20の設計された干渉雑音と、第2の無線周波数モジュール20に対応する信号対雑音比（英語：signal−to−noise ratio、SNR）との積よりも大きい必要がある。このようにして、APは、第2の無線周波数モジュール20への大きい信号強度で端末をスケジュールする。第2の無線周波数モジュール20が異なる変調およびコーディング方式を使用するとき、信号対雑音比の要件も異なる。したがって、第2の無線周波数モジュール20に対応する信号対雑音比は、第2の無線周波数モジュール20によって使用される変調およびコーディング方式とともに変化し得る。
【００３４】
上記のプロセッサ30は、その信号強度がしきい値よりも大きく、第1の無線周波数モジュール10を使用することによってAPに関連付けられた少なくとも1つの端末中からのものである端末が、スケジュールされた後に、第2の無線周波数モジュール20を使用することによってAPに関連付けられるように、その信号強度がしきい値よりも大きい端末をスケジュールするように構成される。
【００３５】
第1の無線周波数モジュール10と第2の無線周波数モジュール20との間の絶縁は60dBであり、第2の無線周波数モジュール20の設計された干渉雑音は−82dBmである。したがって、第2の無線周波数モジュール20が、チャネル48に接続された端末によって送られた信号を適切に受信することができることを保証するために、端末の信号強度は、第2の無線周波数モジュール20の上記の設計された干渉雑音と、第2の無線周波数モジュール20に対応するSNRとの積よりも大きい必要がある。プロセッサ30は、第2の無線周波数モジュール20の上記の設計された干渉雑音と、第2の無線周波数モジュール20に対応するSNRとに従って、例えば、48dBのSNR、第2のチャネルに接続された端末の信号強度のしきい値を決定し得る。端末の信号強度のための上記のしきい値は、第2の無線周波数モジュール20の設計された干渉雑音と、第2の無線周波数モジュール20に対応するSNRとの積である。上記のしきい値はQ3であり、Q3＝−82dBm×48dBであると仮定する。Q3が−34dBmであることが知られ得る。プロセッサ30は、その信号強度が上記のQ3よりも大きく、第1の無線周波数モジュール10を使用することによってAPに関連付けられた1つまたは複数の端末からのものである端末が、スケジュールされた後に、第2の無線周波数モジュール20を使用することによって上記のAPに関連付けられるように、その信号強度がQ3よりも大きい上記の端末をスケジュールし得る。
【００３６】
場合によっては、端末の信号強度しきい値Q3を決定した後に、プロセッサ30は、第1のチャネル（すなわち、チャネル149）に接続された各端末のアップリンク信号強度の受信信号強度指示（英語：received signal strength indication、RSSI）を取得し得る。各端末の上記のRSSIに従って、アップリンク信号強度が上記の信号強度しきい値（すなわち、Q3）よりも大きい端末は、第2のチャネル（すなわち、チャネル48）に接続するように命令され、すなわち、プロセッサ30は、アップリンク信号強度がQ3よりも大きい端末に、第2の無線周波数モジュールに切り替わるように命令し得る。
【００３７】
場合によっては、プロセッサ30は、端末と第1の無線周波数モジュール10との間の関連付けを切断するために、端末に関連付け解除（英語：Disassociation）フレームを送るように第1の無線周波数モジュール10に命令し得る。次いで、端末は、接続可能なチャネルを走査する。この場合、第1の無線周波数モジュール10は、端末アクセスが許可されない状態を維持する。例えば、端末が第1の無線周波数モジュール10にプローブ要求を送ったとき、第1の無線周波数モジュール10は返答を与えない。端末が第2の無線周波数モジュール20にプローブ要求を送った後に、第2の無線周波数モジュール20は、端末によって送られたプローブ要求に応答し、端末は第2のチャネルに接続する。
【００３８】
場合によっては、プロセッサ30はまた、第2のチャネル（例えば、チャネル48）に切り替わるように端末に命令するために、端末にチャネル切替え告知（英語：Channel Switch Announcement）を送り得る。
【００３９】
さらに、第1の無線周波数モジュール10と第2の無線周波数モジュール20との間の絶縁が60dBに達するとき、第2の無線周波数モジュール20によって受信される第1の無線周波数モジュール10の信号の上記の信号強度Q2は−82dBmである。Q2は第2の無線周波数モジュール20のCCAしきい値よりも大きく、第2の無線周波数モジュール20の上記のCCAしきい値は−83dBmである。−82dBmは−83dBmに近いので、第1の無線周波数モジュール10によって送信された信号は、この場合、第2の無線周波数モジュール20の信号送信に干渉しない。しかしながら、この場合、第2の無線周波数モジュール20のCCAしきい値は、設計された干渉雑音に極めて近く、プロセッサ30はまた、設計において考慮されていない別の要因によって引き起こされる干渉を防ぐために、第2の無線周波数モジュール20のCCAしきい値を上げ得る。いくつかのシナリオでは、比較的低い絶縁に従って設計されたAPの第1の無線周波数モジュール10による第2の無線周波数モジュール20との干渉の電力は、第2の無線周波数モジュール20のCCAしきい値よりも大きくなり得る。プロセッサ30は、第2の無線周波数モジュール20の上げられたCCAしきい値が、第2の無線周波数モジュールの設計された干渉雑音よりも大きくなるように、第2の無線周波数モジュール20のCCAしきい値を上げ得る。プロセッサ30は、第2の無線周波数モジュール20のCCAしきい値を1dBm以上だけ上げ得る。この場合、プロセッサ30が端末をスケジュールするとき、端末の信号強度のしきい値もそれに応じて上げられるべきである。この場合、端末の信号強度のしきい値は、第2の無線周波数モジュール20の上げられたCCAしきい値と、第2の無線周波数モジュール20に対応するSNRとの積であり得る。
【００４０】
本発明のこの実施形態では、単一のAP中に同じ周波数帯域の2つの無線周波数モジュールが組み込まれたとき、第1の無線周波数モジュールは、第1の送信電力上限を使用することによって第1のチャネル上で信号を送信し、第2の無線周波数モジュールは、第1の送信電力上限よりも小さい第2の送信電力上限を使用することによって第2のチャネル上で信号を送信し、それにより、第1の無線周波数モジュールと第2の無線周波数モジュールとの間の絶縁のための、第1の無線周波数モジュールの信号の受信および送信の要件が低減され得る。APは、その信号強度がしきい値よりも大きく、第1の無線周波数モジュールを使用することによってAPに関連付けられた複数の端末中からのものである端末が、スケジュールされた後に、第2の無線周波数モジュールを使用することによってAPに関連付けられるように、APのプロセッサを使用することによって、その信号強度がしきい値よりも大きい上記の端末をさらにスケジュールし得る。このようにして、第2の無線周波数モジュールが、第2のチャネルに接続された端末によって送られた信号を適切に受信することができることが保証され、それにより、同じ周波数帯域の2つの無線周波数モジュール間の信号干渉が低減され、1つのAP中に同じ周波数帯域の2つの無線周波数モジュールを組み込むためのハードウェア設計の複雑さが低減され得る。
【００４１】
図3を参照されたい。図3は、本発明の一実施形態による信号干渉低減方法の概略フローチャートである。本発明のこの実施形態で説明する方法は以下のステップを含む。
【００４２】
S101。ワイヤレスアクセスポイント中に含まれる第1の無線周波数モジュールを使用することによってワイヤレスアクセスポイントに関連付けられた少なくとも1つの端末のうちの各端末の信号強度を検出する。
【００４３】
S102。その信号強度がしきい値よりも大きく、すべての端末からのものである端末をスケジュールする。
【００４４】
特定の実装形態では、本発明のこの実施形態において提供される信号干渉低減方法は、図1に示されている上記の実施形態において提供されたアクセスポイントに適用され得る。特定の実装様式については、上記の実施形態で説明した実装様式を参照されたく、ここでは詳細に説明しない。
【００４５】
本発明のこの実施形態では、単一のAP中に同じ周波数帯域の2つの無線周波数モジュールが組み込まれたとき、第1の無線周波数モジュールは、第1の送信電力上限を使用することによって第1のチャネル上で信号を送信し、第2の無線周波数モジュールは、第1の送信電力上限よりも小さい第2の送信電力上限を使用することによって第2のチャネル上で信号を送信し、それにより、第1の無線周波数モジュールと第2の無線周波数モジュールとの間の絶縁のための、第1の無線周波数モジュールの信号の受信および送信の要件が低減され得る。その信号強度がしきい値よりも大きく、第1の無線周波数モジュールを使用することによってAPに関連付けられた複数の端末からのものである端末が、スケジュールされた後に、第2の無線周波数モジュールを使用することによってAPに関連付けられるように、その信号強度がしきい値よりも大きい上記の端末がスケジュールされる。このようにして、第2の無線周波数モジュールが、第2のチャネルに接続された端末によって送られた信号を適切に受信することができることが保証され、それにより、同じ周波数帯域の2つの無線周波数モジュール間の信号干渉が低減され、1つのAP中に同じ周波数帯域の2つの無線周波数モジュールを組み込むためのハードウェア設計の複雑さが低減され得る。
【００４６】
当業者は、本実施形態における方法のプロセスの全部または一部が、関連するハードウェアに命令するコンピュータプログラムによって実装され得ることを理解されよう。プログラムはコンピュータ可読記憶媒体に記憶され得る。プログラムが動作すると、本実施形態における方法のプロセスが実施される。上記の記憶媒体は、磁気ディスク、光ディスク、読取り専用メモリ（英語：read−only memory、ROM）、またはランダムアクセスメモリ（英語：random−access memory、RAM）を含み得る。
【００４７】
上記で開示されたものは本発明の例示的な実施形態にすぎない。本発明の保護範囲は、特許請求の範囲の保護範囲に従うものである。
【符号の説明】
【００４８】
10  第1の無線周波数モジュール
20  第2の無線周波数モジュール
30  プロセッサ
36  チャネル
40  チャネル
44  チャネル
48  チャネル
149  チャネル
153  チャネル
157  チャネル
161  チャネル
165  チャネル
【図１】
0006390928.tif 000002
【図２】
0006390928.tif 000003
【図３】
0006390928.tif 000004